(57)【要約】      （修正有）【課題】流動食パック内の流動食を患者に供給するための供給チューブの長さを短くすることが可能で、かつスタンドに吊り下げた流動食パックをスタンドから水平方向に大きく離間させることが可能でありながら、流動食パックをスタンドに吊り下げていない時にスタンドの流動食パックを吊り下げる部分が患者や介護者にとって邪魔になり難く、しかもスタンドのバランスが崩れ難い、流動食パック吊下紐用係合部材及び流動食パック吊下システムを提供する。【解決手段】スタンドの支持部より下方の部位に対して着脱可能な着脱部３１と、着脱部をスタンドに装着したときに、スタンドに対して直交状態にすることが可能な吊下部６７と、吊下部の先端部に設けた、紐部材８１、９４の中間部を係合させることが可能な紐係合部７１と、を備える。【選択図】図３
0003189402.tif 000002
【実用新案登録請求の範囲】
【請求項１】
床面に載置可能で流動食パックを支持した紐部材を直接的又は間接的に支持する支持部を有するスタンドに対して着脱可能な流動食パック吊下紐用係合部材であって、
上記スタンドの上記支持部より下方の部位に対して着脱可能な着脱部と、
該着脱部を上記スタンドに装着したときに、上記スタンドに対して直交状態にすることが可能な吊下部と、
該吊下部の先端部に設けた、上記紐部材の中間部を係合させることが可能な紐係合部と、
を備えることを特徴とする流動食パック吊下紐用係合部材。
【請求項２】
請求項１記載の流動食パック吊下紐用係合部材において、
上記吊下部を上記着脱部に対して水平方向の回転軸回りに回転可能として接続する回転接続部と、
上記着脱部を上記スタンドに装着したときに上記吊下部が上記スタンドに対して直交状態になるように、上記吊下部の上記着脱部に対する相対回転位置を固定する固定手段と、
を備える流動食パック吊下紐用係合部材。
【請求項３】
請求項１または２記載の流動食パック吊下紐用係合部材において、
上記着脱部を上記スタンドに装着した場合に上記スタンドに対して直交状態になる方向に上記吊下部を向けたときに、該吊下部を上記着脱部に対して上下方向の回転軸回りに回転可能とする回転支持部を備える流動食パック吊下紐用係合部材。
【請求項４】
請求項１から３のいずれか１項記載の流動食パック吊下紐用係合部材と、
上記スタンドと、
を備えることを特徴とする流動食パック吊下システム。
【考案の詳細な説明】
【技術分野】
【０００１】
本考案は流動食パック吊下紐用係合部材及び流動食パック吊下システムに関する。
【背景技術】
【０００２】
特許文献１は流動食パックを吊り下げるための流動食パック吊下システムの従来例を示している。
この流動食パック吊下システムは、床面に載置可能なスタンドを具備している。このスタンドは、上下方向に延びる本体部と、本体部の上部から略水平に延びる水平部と、を備えており、水平部の先端部は上向きに曲げられたフック部を構成している。
【０００３】
流動食パックはパウチ容器からなるものであり、その内部に流動食が充填されている。流動食パックには筒状の注出口が突設してある。この注出口の内部空間はパウチ容器の内部空間と連通しており、注出口の先端部は閉じている。
【０００４】
流動食パック内の流動食を（ベッドに横たわっている）患者に供給するためには、まず可撓性を有する供給チューブの一端を患者（の口や腹部に形成した穿孔等）に接続し、さらに流動食パックの注出口を切断し、注出口の開口端部（切断端部）に供給チューブの他端を接続する。そして流動食パックの上端部に形成した取付孔をスタンドのフック部（水平部）に係止する。
すると流動食パック内の流動食が重力によって供給チューブ内を下方に流れて、供給チューブの上記一端（患者側の端部）から患者に流動食が供給される。
【先行技術文献】
【特許文献】
【０００５】
【特許文献１】特開２００５−１７５９号公報
【考案の概要】
【考案が解決しようとする課題】
【０００６】
特許文献１ではスタンドの上部に流動食パックを直接吊り下げているので、流動食パックから患者までの距離が長くなる。そのため、流動食パックに接続する供給チューブの全長もある程度の長さになる。しかし流動食はある程度の粘度を有しているので、供給チューブが長い場合は、流動食が患者側に円滑に供給されないおそれがある。
【０００７】
また、一般的にスタンドは患者が寝ているベッドの真横に設置する。供給チューブ内の流動食の流れを円滑にするためには、流動食パックをベッドに横たわっている患者の真上に位置させて、供給チューブを出来る限り直線状にする必要がある。
しかし、特許文献１のスタンドの水平部の本体部からの（水平方向の）延出量が短いので、フック部に係止した流動食パックはベッドの幅方向の中央部（患者）の真上には位置せず、中央部より側方に位置する部分の真上に位置する。その結果、流動食パックと患者をつなぐ供給チューブは湾曲することになるので、供給チューブ内の流動食の流れが不円滑になり易い。
なお、この問題の解決策として、水平部の（水平方向の）延出量を長くすることが考えられる。しかし水平部を長くすると、流動食パックをスタンドに吊り下げていないときに、水平部が患者や介護者にとって邪魔になり易い。さらにスタンドの上部に長い水平部を設けると、スタンドのバランスが崩れて、スタンドが転倒し易くなってしまう。
【０００８】
本考案は、流動食パック内の流動食を患者に供給するための供給チューブの長さを短くすることが可能で、かつスタンドに吊り下げた流動食パックをスタンドから水平方向に大きく離間させることが可能でありながら、流動食パックをスタンドに吊り下げていないときに患者や介護者にとって邪魔になり難く、しかもスタンドのバランスが崩れ難い流動食パック吊下紐用係合部材及び流動食パック吊下システムを提供することを目的とする。
【課題を解決するための手段】
【０００９】
本考案の流動食パック吊下紐用係合部材は、床面に載置可能で流動食パックを支持した紐部材を直接的又は間接的に支持する支持部を有するスタンドに対して着脱可能な流動食パック吊下紐用係合部材であって、上記スタンドの上記支持部より下方の部位に対して着脱可能な着脱部と、該着脱部を上記スタンドに装着したときに、上記スタンドに対して直交状態にすることが可能な吊下部と、該吊下部の先端部に設けた、上記紐部材の中間部を係合させることが可能な紐係合部と、を備えることを特徴としている。
【００１０】
上記吊下部を上記着脱部に対して水平方向の回転軸回りに回転可能として接続する回転接続部と、上記着脱部を上記スタンドに装着したときに上記吊下部が上記スタンドに対して直交状態になるように、上記吊下部の上記着脱部に対する相対回転位置を固定する固定手段と、を備えてもよい。
【００１１】
上記着脱部を上記スタンドに装着した場合に上記スタンドに対して直交状態になる方向に上記吊下部を向けたときに、該吊下部を上記着脱部に対して上下方向の回転軸回りに回転可能とする回転支持部を備えてもよい。
【００１２】
本考案の流動食パック吊下システムは、流動食パック吊下紐用係合部材と、上記スタンドと、を備えることを特徴としている。
【考案の効果】
【００１３】
本考案の流動食パック吊下紐用係合部材及び流動食パック吊下システムは、紐部材を介して流動食パックをスタンドに対して吊り下げることが可能なので、流動食パック内の流動食を患者に供給するための供給チューブの長さを短くすることが可能である。そのため、流動食を供給チューブを介して患者側に円滑に供給することが可能である。
また、吊下部の長さを長くすることにより、流動食パックをベッドに横たわっている患者の真上に位置させ、それにより流動食パックと患者を接続する供給チューブを出来る限り直線状にすることが可能になる。供給チューブが直線状になると、（湾曲している場合に比べて）供給チューブ内の流動食の流れが円滑になるので、流動食を患者に供給し易くなる。
【００１４】
さらに、流動食パック吊下紐用係合部材はスタンドに対して着脱可能なので、流動食パックをスタンドに吊り下げる必要がないときは、流動食パック吊下紐用係合部材をスタンドから取り外すことができる。そのため吊下部を長くしても、流動食パック吊下紐用係合部材をスタンドから取り外せば、流動食パック吊下紐用係合部材が患者や介護者にとって邪魔になることはない。
また、流動食パック吊下紐用係合部材は、スタンドの支持部より下方の部位に対して着脱するものなので、吊下部を長くしてもスタンドのバランスが崩れ難い。
【００１５】
請求項２記載の考案によれば、吊下部が着脱部に対して水平方向の回転軸回りに回転可能になる。そのため流動食パックをスタンドに吊り下げる必要がないときは、流動食パック吊下紐用係合部材をスタンドに装着したまま、吊下部を真下（上下方向）に向けることが可能になる。そのため流動食パック吊下紐用係合部材をスタンドに装着したままにしても、吊下部が患者や介護者にとって邪魔になり難い。
【００１６】
請求項３記載の考案によれば、スタンドに装着した流動食パック吊下紐用係合部材の吊下部が水平状態（スタンドに対して直交状態）にあるときに介護者の体等が吊下部に当たると、吊下部はスタンドに対して上下方向の回転軸回りに回転する。
そのため、介護者の体等が吊下部に当たったときに、介護者の体等から吊下部に伝わった力がスタンドに及び難いので、スタンドが転倒するおそれは小さい。
【図面の簡単な説明】
【００１７】
【図１】本考案の一実施形態のスタンドと、紐用係合部材と、吊下装置と、ベッドの斜視図である。
【図２】紐用係合部材の吊下部を水平状態にしたときの図１と同様の斜視図である。
【図３】吊下装置の紐を紐用係合部材の係合部に係合させることにより、流動食パックをベッドの直上に位置させたときの図１と同様の斜視図である。
【図４】吊下装置及び流動食パックの正面図、長さ調整具の拡大断面図、並びに紐と弾性紐の連結部の拡大図である。
【図５】紐用係合部材の分解斜視図である。
【図６】吊下部を水平状態にしたときの紐用係合部材の平面図である。
【図７】吊下部を水平状態にしたときの紐用係合部材の側面図である。
【図８】吊下部を下方に下ろしたときの紐用係合部材の側面図である。
【考案を実施するための形態】
【００１８】
以下、添付図面を参照しながら本考案の一実施形態を説明する。
本実施形態の流動食パック吊下システム１０は、スタンド１５と、紐用係合部材３０と、吊下装置８０と、を具備するものである。
スタンド１５（支持部材）の下部は金属製の載置部１６によって構成してある。載置部１６は、円柱状の連結部１７と、連結部１７から放射状に延びる３本の脚部１８と、を備えている。さらに各脚部１８の先端部にはキャスター１９が設けてある。
連結部１７からは金属製の本体部２０が上方に向かって直線的に延びている。本体部２０は中空の円筒部材であり、その上端は開口している。本体部２０には上下方向に延びる中空の円柱状部材である金属製の延長部２１の下部が接続している。延長部２１の下部は本体部２０の上端開口を通して、本体部２０の内部にスライド可能に挿入してある。本体部２０の上端近傍にはネジ孔（図示略）が貫通孔として穿設してあり、このネジ孔にはツマミ部材２２に設けた雄ネジ部２３が螺合している。延長部２１の本体部２０に対するスライド位置（上下方向位置）を調整した後に、ツマミ部材２２（雄ネジ部２３）を上記ネジ孔に対して回転させて、雄ネジ部２３の内側端部を延長部２１の外周面に対して圧接することにより、延長部２１の本体部２０に対するスライド位置（上下方向位置）を固定することが可能である。また、ツマミ部材２２（雄ネジ部２３）を上記ネジ孔に対して回転させて、雄ネジ部２３の内側端部を延長部２１の外周面から離間させれば、延長部２１は本体部２０に対して上下方向にスライド可能になる。延長部２１の上端近傍部には水平方向に延びる金属製の支持部２５が固定してある。支持部２５は、延長部２１を貫通する水平棒状の水平部２６と、水平部２６の両端部に形成した一対のフック部２７と、を備えている。
【００１９】
紐用係合部材３０は大きな構成要素として、着脱部３１と、第一固定手段５２と、回転連結部５６と、第二固定手段６１と、吊下部６７と、を具備している。
着脱部３１は、共に金属製の第一挟持片３２と第二挟持片４２を有している。
第一挟持片３２は、内面の曲率が本体部２０の外周面の曲率と略同一の半円筒部３３と、半円筒部３３の周方向の一方の端部に固定した回転支持筒３４と、半円筒部３３の周方向の他方の端部に突設した接続支持片３５と、を備えている。回転支持筒３４の上下寸法は半円筒部３３の約半分であり、回転支持筒３４は半円筒部３３の上半部に固定してある。接続支持片３５には二つの円形貫通孔３６、３７が穿設してあり、接続支持片３５の外側面の円形貫通孔３６、３７と対応する位置にはウェルドナット３８、３９がそれぞれ固定してある。さらに接続支持片３５の先端部には、自身の軸線が半円筒部３３の軸線と平行な半円筒状の回転止め凹部４０が形成してある。
第二挟持片４２は、半円筒部３３と対称形状の半円筒部４３と、半円筒部４３の周方向の一方の端部に固定した回転支持筒４４と、半円筒部４３の周方向の他方の端部に突設した固定片４５と、を備えている。回転支持筒４４の上下寸法は半円筒部４３の約半分であり、回転支持筒４４は半円筒部４３の下半部に固定してある。固定片４５には円形貫通孔４６が穿設してある。また固定片４５の先端部は、固定片４５のその他の部分に対して傾斜した当接部４７となっている。
回転支持筒４４を回転支持筒３４の真下に同軸をなすように位置させた上で、回転支持筒３４及び回転支持筒４４の内部にボルト４９を上方から挿入し、回転支持筒４４の下方に突出したボルト４９の下端部にナット５０を螺合（固定）することにより、半円筒部３３と半円筒部４３をボルト４９回りに相対可能として接続している。
第二挟持片４２の当接部４７を接続支持片３５に対して接触させると、第一挟持片３２と第二挟持片４２が互いに閉じることによって半円筒部３３と半円筒部４３が円筒体を構成する。さらに、互いに一体化したツマミ部５３と雄ネジ部５４を備える第一固定手段５２の雄ネジ部５４を、固定片４５の円形貫通孔４６及び接続支持片３５の円形貫通孔３６に貫通させた上で雄ネジ部５４をウェルドナット３８に螺合させ、ツマミ部５３の雄ネジ部５４側の端部を固定片４５の外側面に圧接すれば、第一挟持片３２と第二挟持片４２を互いの半円筒部３３と半円筒部４３が円筒体を構成する（第二挟持片４２の当接部４７が接続支持片３５に接触する）閉状態に保持できる。一方、第一固定手段５２の雄ネジ部５４を円形貫通孔４６、円形貫通孔３６、及びウェルドナット３８から引き抜けば、第一挟持片３２と第二挟持片４２を互いの半円筒部３３と半円筒部４３が離間する開状態にすることが可能になる。
【００２０】
金属製の回転連結部５６は、円筒状の回転支持部５７と、回転支持部５７から側方に突出する板状部材からなる回転接続部５８と、を一体的に備えており、回転接続部５８の中央部には円形貫通孔５９が穿設してある。回転支持部５７の外周面の曲率は回転止め凹部４０の内周面の曲率とほぼ同一である。
回転連結部５６（回転接続部５８）は、第一固定手段５２とほぼ同じ構造の第二固定手段６１（及びワッシャ６４）を介して、着脱部３１（第一挟持片３２）に対して取り付けてある。具体的には、回転接続部５８を固定片４５と同じ側から接続支持片３５に対向させた（接近させた）上で、第二固定手段６１の雄ネジ部６３（水平方向の回転軸）を二枚のワッシャ６４、円形貫通孔５９、及び円形貫通孔３７に貫通させながら第一挟持片３２のウェルドナット３９に螺合させ、さらに雄ネジ部６３の先端部に端部ナット６５を螺合（固定）することにより、回転連結部５６（回転接続部５８）を着脱部３１（第一挟持片３２）に対して取り付けている。また、雄ネジ部６３の先端部から端部ナット６５を取り外さない限り、第二固定手段６１、第一挟持片３２、及び回転連結部５６は互いに一体化した状態に保持される。
回転支持部５７の（半部）を第一挟持片３２の回転止め凹部４０に嵌合（回転止め凹部４０の内面に接触）させかつ回転接続部５８を接続支持片３５の側面に接触させた状態で、第二固定手段６１のツマミ部６２の雄ネジ部６３側の端部を回転接続部５８の外側面に圧接すれば、回転連結部５６は着脱部３１（第一挟持片３２）に対して回転不能となり、回転連結部５６の着脱部３１（第一挟持片３２）に対する回転位置は図２、図３、図６、図７に示す位置で固定される。その一方で、回転支持部５７の（半部）が第一挟持片３２の回転止め凹部４０から脱出しかつ回転接続部５８が接続支持片３５の側面から離間するとき、回転支持部５７は着脱部３１（第一挟持片３２）に対して雄ネジ部６３回りに相対回転可能になる。そのため、回転連結部５６を着脱部３１（第一挟持片３２）に対して図１及び図８に示す位置まで回転させることが可能になる。
【００２１】
吊下部６７は金属製の棒材を加工したものであり、直線的に延びる直線部６８と、直線部６８の一端から直線部６８に対して直交する方向に直線的に延びる回転中心部６９（上下方向の回転軸）と、直線部６８の他端に突設した螺旋形状の紐係合部７１と、を具備しており、回転中心部６９の先端部には雄ネジ部７０が形成してある。直線部６８の全長は水平部２６の半分の長さ（及び水平部２６の全長）より長い（図２及び図３参照）。さらに回転中心部６９には環状フランジ７２が固定状態で設けてある。
吊下部６７は回転連結部５６の回転支持部５７に対して回転中心部６９回りに回転可能に接続している。具体的には、回転中心部６９に２枚のワッシャ７３を装着した上で回転中心部６９を上方から回転支持部５７に挿通し、回転支持部５７の上端面と環状フランジ７２の間で２枚のワッシャ７３を挟みながら、回転中心部６９の下部を回転支持部５７の下方に突出させる。そして回転中心部６９の下部に４枚のワッシャ７４を装着した上で、回転中心部６９の下端部にナット７５を螺合させ、回転支持部５７の下端面とナット７５の間で４枚のワッシャ７４を挟み込む。
【００２２】
続いて吊下装置８０（流動食パック用吊下装置）の詳しい構造について説明する。
吊下装置８０は大きな構成要素として、紐８１と、長さ調整具８４と、弾性紐９４と、パック支持具９６と、紐支持具９７と、を備えている。
紐８１（紐部材）は可撓性を有しており、その一端には紐８１より大径の端部ツマミ８２が固定してある。
紐８１に対してスライド自在に装着した長さ調整具８４は、樹脂製のシリンダ８５と、樹脂製のピストン８８と、圧縮コイルバネ９２と、を備えたものである。円筒状のシリンダ８５は一端が開口しており、その周面には一対の長孔８６が穿設してある。ピストン８８は、シリンダ８５の内径と略同径の円柱体であるスライド部８９と、スライド部８９の端部に固定したスライド部８９（及びシリンダ８５の内径）より大径の押圧部９０と、を備えている。さらにスライド部８９には、スライド部８９を貫通する紐挿通孔９１が形成してある。ピストン８８は図４に示す調整不能位置と、調整不能位置よりも押圧部９０がシリンダ８５側に近づく調整可能位置（図示略）との間をシリンダ８５の軸線に沿ってシリンダ８５に対してスライド可能であり、調整不能位置よりも調整可能位置と反対側へのスライドは図示を省略したストッパにより規制されている。シリンダ８５の内部には圧縮コイルバネ９２が自由状態より縮んだ状態で配設してある。圧縮コイルバネ９２の一端はシリンダ８５の底部に固定してあり、圧縮コイルバネ９２の他端はスライド部８９の端面に固定してある。そのためピストン８８に対して圧縮コイルバネ９２以外の外力を及ぼさないとき、ピストン８８は圧縮コイルバネ９２の付勢力によって調整不能位置に位置する。
図示するように紐８１の一部は互いに重ねた状態となっており、この重ねた部分はシリンダ８５の一対の長孔８６及びスライド部８９の紐挿通孔９１を貫通しており、紐８１の長さ調整具８４よりも端部ツマミ８２と反対側に位置する部位は中間環状部８１ａを構成している。長さ調整具８４のピストン８８が圧縮コイルバネ９２の付勢力によって調整不能位置に位置するとき、図４に示すように紐８１は一対の長孔８６の一方の端面（押圧部９０側の端面）と紐挿通孔９１の一方の端面（圧縮コイルバネ９２側の端面）との間で挟持されるので、長さ調整具８４は紐８１に対して紐８１の延長方向にスライド不能になる。一方、圧縮コイルバネ９２の付勢力に抗してピストン８８を調整可能位置までスライドさせると、紐８１に対する一対の長孔８６の一方の端面（押圧部９０側の端面）と紐挿通孔９１の一方の端面（圧縮コイルバネ９２側の端面）とによる挟み込みが解除されるので、長さ調整具８４は紐８１に対してスライド可能になる。そのため紐８１の中間環状部８１ａから端部環状部８１ｂ（後述）までの長さを調整することが可能になる。
【００２３】
紐８１の端部ツマミ８２と反対側の端部には紐８１より弾性率が大きくかつ可撓性を有する弾性紐９４（紐部材）の一端が固定してある。より詳細には、弾性紐９４の一方の端部と弾性紐９４の別の部位（当該一方の端部の近傍部）を金属製の固定部材９５によって固定することにより、弾性紐９４に端部環状部９４ａを形成している。紐８１の弾性紐９４側の端部は端部環状部９４ａに挿入してあり、さらに紐８１の弾性紐９４側の端部と紐８１の別の部位（紐８１の当該端部の近傍部）を固定部材９５によって固定することにより、紐８１に端部環状部８１ｂを形成している。さらに弾性紐９４の他端にも固定部材９５を利用して端部環状部９４ａが形成してある。
パック支持具９６はＳ字状のフックであり、弾性紐用取付部９６ａと孔用係止部９６ｂとを両端部に備えている。
紐支持具９７はパック支持具９６と同形状であり、紐用取付部９７ａとスタンド側係止部９７ｂ（支持部材用係止部）とを両端部に備えている。
パック支持具９６は、その弾性紐用取付部９６ａを弾性紐９４の紐８１と反対側の端部環状部９４ａに通す（係止する）ことによって、弾性紐９４の端部に対して着脱可能に取り付けてある。
一方、紐支持具９７は、その紐用取付部９７ａを紐８１の中間環状部８１ａに通す（係止する）ことによって、紐８１に対して着脱可能に取り付けてある。
【００２４】
続いて流動食パック吊下システム１０を用いた流動食パックＡの吊り下げ要領、及び流動食パックＡに充填した流動食の患者への供給要領について説明する。
まず室内（病室内）の床面に載置したスタンド１５を、キャスター１９を利用して、ベッド（図１から図３参照）の真横まで移動させる。
次いで紐用係合部材３０をスタンド１５の本体部２０に対して装着する。紐用係合部材３０をスタンド１５に装着するには、まず第一固定手段５２の雄ネジ部５４を円形貫通孔３６、円形貫通孔４６及びウェルドナット３８から引き抜くことにより第一挟持片３２と第二挟持片４２を上記開状態にしておく。そして半円筒部３３及び半円筒部４３の内面を本体部２０の外周面（例えば、本体部２０の上端近傍部）に接触させながら第一挟持片３２と第二挟持片４２を上記閉状態にし、第一固定手段５２の雄ネジ部５４を固定片４５の円形貫通孔４６及び接続支持片３５の円形貫通孔３６に貫通させた上でウェルドナット３８に螺合させ、さらにツマミ部５３の雄ネジ部５４側の端部を固定片４５の外側面に圧接することにより、着脱部３１（第一挟持片３２、第二挟持片４２）を本体部２０に対して固定状態で取り付ける。
紐用係合部材３０をスタンド１５に装着するとき、回転連結部５６は回転支持部５７（の半部）が第一挟持片３２の回転止め凹部４０に嵌合する位置で着脱部３１（第一挟持片３２）に対して固定しておいても（回転不能にしておいても）よい（図２参照）。
また紐用係合部材３０をスタンド１５に装着するときに、回転連結部５６が着脱部３１（第一挟持片３２）に対して雄ネジ部６３回りに相対回転可能となるようにしておいてもよい。相対回転可能にすると図１に示すように、回転連結部５６及び吊下部６７はその自重によって、直線部６８が上下方向を向きかつ紐係合部７１が回転連結部５６の下方に位置する状態になる。この場合は紐用係合部材３０をスタンド１５に装着した後に、直線部６８が水平状態になりかつ回転支持部５７（の半部）が第一挟持片３２の回転止め凹部４０に嵌合するまで吊下部６７を回転させて、回転接続部５８を接続支持片３５の側面に接触させながら第二固定手段６１（固定手段）のツマミ部６２の雄ネジ部６３側の端部を回転接続部５８の外側面に圧接することにより、紐用係合部材３０を図２に示す状態に保持する。
吊下部６７を水平状態にすると、吊下部６７の紐係合部７１がベッドの幅方向の中央部のほぼ直上に位置する（図２、図３参照）。
【００２５】
続いてスタンド１５の一方のフック部２７に対して吊下装置８０の紐支持具９７のスタンド側係止部９７ｂを係止することにより、紐用係合部材３０をスタンド１５の支持部２５（フック部２７）に対して吊り下げる。
流動食パックＡはパウチ容器Ａ１を備えており、パウチ容器Ａ１の内部に流動食（図示略）を充填している。パウチ容器Ａ１には筒状の注出口Ａ２が突設してある。この注出口Ａ２の内部空間はパウチ容器Ａ１の内部空間と連通しており、注出口Ａ２の先端部は閉じている。さらにパウチ容器Ａ１の角部には取付孔Ａ３が貫通孔として形成してある。流動食パックＡは、その取付孔Ａ３に対してパック支持具９６の孔用係止部９６ｂを係止（挿入）することにより、パック支持具９６に対して吊り下げることが可能である。
ベッドの幅方向の中央部に横たわっている患者に流動食パックＡ内の流動食を供給するためには、まず可撓性を有する供給チューブ９８（図４参照）の一端を患者（の口や腹部に形成した穿孔等）に接続し、さらに流動食パックＡの注出口Ａ２を切断し、注出口Ａ２の開口端部（切断端部）に供給チューブ９８の他端を接続する。そして、その後で流動食パックＡの取付孔Ａ３を紐用係合部材３０のパック支持具９６の孔用係止部９６ｂに係止する。
さらに紐８１と弾性紐９４のいずれかを紐用係合部材３０の紐係合部７１に係止することにより、弾性紐９４（または紐８１）の紐係合部７１との係合部より下方に位置する部分を略垂直状態にしかつ流動食パックＡをベッドの幅方向の中央部（患者）のほぼ直上に位置させる（図３参照）。
【００２６】
すると流動食パックＡと患者を接続する供給チューブ９８がほぼ直線状になる。
また流動食パックＡを紐用係合部材３０を介してスタンド１５のフック部２７に吊り下げているので、流動食パックＡをフック部２７に直接吊り下げる場合と比べて供給チューブ９８を短くすることが可能である（流動食パックＡと患者の距離が短くなる）。さらに紐用係合部材３０は、長さ調整具８４を利用することにより、中間環状部８１ａから端部環状部８１ｂまでの長さを調整することが可能なので、必要に応じて供給チューブ９８の長さをより短くすることが可能である（流動食パックＡと患者の距離をさらに短くできる）。
従って、（供給チューブ９８が湾曲している場合や、流動食パックＡをフック部２７に直接吊り下げる場合と比べて）、流動食パックＡ内の流動食を患者に対して円滑に供給することが可能である。
【００２７】
さらに、例えば、ベッドに横たわっている患者や介護者が流動食パックＡを移動させるために手などによって流動食パックＡに力を掛けると、この力の一部は紐８１より弾性率が大きい弾性紐９４によって吸収されるので、流動食パックＡからスタンド１５に過大な力が及び難い。そのためこのような場合にスタンド１５が倒れるおそれが小さい。
【００２８】
紐用係合部材３０がスタンド１５に対して着脱可能なので、流動食パックＡをスタンド１５に吊り下げる必要がないときは、紐用係合部材３０をスタンド１５から取り外すことができる。そのため、吊下部６７が長い場合であっても、紐用係合部材３０をスタンド１５から取り外せば、紐用係合部材３０（吊下部６７）が患者や介護者にとって邪魔になることはない。
さらに流動食パックＡをスタンド１５に吊り下げる必要がないときは、紐用係合部材３０をスタンド１５に装着したまま吊下部６７（直線部６８）を真下（上下方向）に向けることが可能である。そのため紐用係合部材３０をスタンド１５に装着したままにしても、吊下部６７（直線部６８）が患者や介護者にとって邪魔になり難い。
また、紐用係合部材３０は、スタンド１５の上端部（支持部２５）より下方の部位（本体部２０）に対して着脱するものなので、吊下部６７を長くしてもスタンド１５のバランスが崩れて転倒するおそれは小さい。
【００２９】
またスタンド１５に装着した紐用係合部材３０の吊下部６７（直線部６８）が水平状態にあるときに介護者の体等が吊下部６７に当たると、吊下部６７はスタンド１５に対して上下方向の回転軸（回転中心部６９）回りに回転する。そのため、介護者の体等が吊下部６７に当たったときに、介護者の体等から吊下部６７に伝わった力がスタンド１５に及び難いので、スタンド１５が転倒するおそれは小さい。
【００３０】
以上、上記実施形態を用いて本考案を説明したが、本考案は様々な変形を施しながら実施可能である。
例えば、紐用係合部材３０から紐支持具９７を省略して紐８１の中間環状部８１ａをフック部２７に直接係止してもよい。
またパック支持具９６を一端に孔用係止部９６ｂを有する略Ｊ字形状とし、このパック支持具９６の孔用係止部９６ｂ以外の部分を弾性紐９４に接続してもよい。同様に、紐支持具９７を一端にスタンド側係止部９７ｂを有する略Ｊ字形状とし、この紐支持具９７のスタンド側係止部９７ｂ以外の部分を中間環状部８１ａに接続してもよい。
また、半円筒部３３及び半円筒部４３の曲率を変更することにより、着脱部３１（半円筒部３３、半円筒部４３）を延長部２１の支持部２５より下方に位置する部分に対して着脱可能に固定してもよい。
さらにスタンド１５に対して紐用係合部材３０を装着した状態で回転支持部５７（の半部）を第一挟持片３２の回転止め凹部４０に嵌合させたときに、直線部６８が本体部２０及び延長部２１に対して完全な直交状態ではなく略直交状態（実用新案登録請求の範囲の「直交状態」はこの「略直交状態」を含む）となるようにしてもよい。
さらに吊下部６７の紐係合部７１は螺旋形状である必要はない。即ち、紐８１又は弾性紐９４を係合させることにより、紐８１又は弾性紐９４の当該係合部より流動食パックＡ側に位置する部分を略垂直状態にさせることが可能な形状であれば、螺旋形状とは別の形状であってもよい。
【符号の説明】
【００３１】
１０    流動食パック吊下システム
１５    スタンド（支持部材）
１６    載置部
１７    連結部
１８    脚部
１９    キャスター
２０    本体部
２１    延長部
２２    ツマミ部材
２３    雄ネジ部
２５    支持部
２６    水平部
２７    フック部
３０    紐用係合部材（流動食パック吊下紐用係合部材）
３１    着脱部
３２    第一挟持片
３３    半円筒部
３４    回転支持筒
３５    接続支持片
３６  ３７  円形貫通孔
３８  ３９  ウェルドナット
４０    回転止め凹部
４２    第二挟持片
４３    半円筒部
４４    回転支持筒
４５    固定片
４６    円形貫通孔
４７    当接部
４９    ボルト
５０    ナット
５２    第一固定手段
５３    ツマミ部
５４    雄ネジ部
５６    回転連結部
５７    回転支持部
５８    回転接続部
５９    円形貫通孔
６１    第二固定手段（固定手段）
６２    ツマミ部
６３    雄ネジ部（水平方向の回転軸）
６４    ワッシャ
６５    端部ナット
６７    吊下部
６８    直線部
６９    回転中心部（上下方向の回転軸）
７０    雄ネジ部
７１    紐係合部
７２    環状フランジ
７３  ７４  ワッシャ
７５    ナット
８０    吊下装置（流動食パック用吊下装置）
８１    紐（紐部材）
８１ａ  中間環状部（被支持部）
８１ｂ  端部環状部
８２    端部ツマミ
８４    長さ調整具
８５    シリンダ
８６    長孔
８８    ピストン
８９    スライド部
９０    押圧部
９１    紐挿通孔
９２    圧縮コイルバネ
９４    弾性紐（紐部材）
９４ａ  端部環状部
９５    固定部材
９６    パック支持具
９６ａ  弾性紐用取付部
９６ｂ  孔用係止部
９７    紐支持具
９７ａ  紐用取付部
９７ｂ  スタンド側係止部（支持部材用係止部）
９８    供給チューブ
Ａ      流動食パック
Ａ１    パウチ容器
Ａ２    注出口
Ａ３    取付孔
【図１】
0003189402.tif 000003
【図２】
0003189402.tif 000004
【図３】
0003189402.tif 000005
【図４】
0003189402.tif 000006
【図５】
0003189402.tif 000007
【図６】
0003189402.tif 000008
【図７】
0003189402.tif 000009
【図８】
0003189402.tif 000010